(57)【特許請求の範囲】
【請求項１】
上面開口の凹部内底面に複数の固定接点を備え、上記固定接点それぞれと接続した端子を外方に延出した絶縁樹脂からなるスイッチケースと、中央孔を有した円形の環状部とその外周縁から斜め下方に向けて延設された複数の脚部を備えて押圧により弾性反転する上方凸形のドーム状に形成された弾性金属薄板からなる第１可動接点と、この第１可動接点の環状部上に載置されて上方凸形のドーム状に形成された弾性金属薄板からなる円形の第２可動接点と、上記第１、第２可動接点を上記スイッチケースの凹部内に収容してその凹部上面を覆うように取り付けられた絶縁フィルム製の保護シートと、を備えたプッシュスイッチであって、上記スイッチケースは前後方向が左右方向より短い長方形で、上記複数の固定接点が、上記第１可動接点の中央孔内を介して上記第２可動接点の下面と間隔をあけて対峙した位置に設けられた中央固定接点と、上記第１可動接点の環状部下面と間隔をあけて対峙した位置に設けられた中間固定接点と、上記第１可動接点の脚部が載置された端部固定接点と、から構成され、上記第１可動接点の脚部が、上記環状部の中心に対して点対称な位置に４つ設けられ、２つ１組とする各組の上記脚部間の開口角度が９０度より狭い角度になされ、それら各組の上記脚部先端外側間の幅の狭い側が上記スイッチケースの左右位置に対応されて上記第１可動接点が上記スイッチケース内に配されていることを特徴とするプッシュスイッチ。
【請求項２】
第１可動接点の脚部の開口角度が９０度より狭い角度になされていて、上記脚部どうしの上記脚部先端外側間の幅が環状部の外形寸法以下である請求項１記載のプッシュスイッチ。
【発明の詳細な説明】
【技術分野】
【０００１】
本発明は、各種電子機器の入力操作部に使用され、押圧操作によって最初に１段目のスイッチが動作し、続いて２段目のスイッチが動作する２段動作のプッシュスイッチに関するものである。
【背景技術】
【０００２】
近年、各種電子機器の小型化が進み、それら電子機器に内蔵される部品の高密度化も著しいものがある。
【０００３】
ここで、デジタルカメラや携帯電話機等のシャッター操作用として用いられることの多い、従来の２段動作の節度感を有したプッシュスイッチについて説明する。
【０００４】
このような従来の２段動作の節度感を有したプッシュスイッチとしては、下記の特許文献１で示すものが知られており、その構成としては、スイッチケースの凹部内に、中央に円形孔を有した環状部から斜め下方に延設された４つの脚部が等角位置に延設された側面視ドーム状の第１可動接点と、その環状部上に円形ドーム状の第２可動接点が載置されて収容され、その上方から可撓性を備えた保護シートで凹部を覆って構成されており、上方からの押し下げ力により第１可動接点が節度感を伴って弾性変形して１段目のスイッチが動作し、さらに押し下げると第２可動接点が節度感を伴って弾性変形して２段目のスイッチが動作するものであった。
【先行技術文献】
【特許文献】
【０００５】
【特許文献１】特開２００８−０４１６０３号公報
【特許文献２】特開２００７−３２９０２２号公報
【発明の概要】
【発明が解決しようとする課題】
【０００６】
上記従来の２段動作の節度感を有したプッシュスイッチは、特許文献１などに示すように、機器の半田付けされる配線基板に対して垂直な方向から操作する所謂縦押し操作のものである。
【０００７】
一方、配線基板の端部に半田付けされ、配線基板面に平行な方向から操作可能な横押し操作のプッシュスイッチとしては、特許文献２に示すものが知られており、スイッチケースの前方に突出した操作部を押し込み操作してその移動方向をカバーの切曲げ部で構成された傾斜部の下面により、配線基板に平行な方向から垂直な方向に変換して可動接点を押圧する構成のものである。
【０００８】
この移動方向を変換する特許文献２の内容を特許文献１に適用すると、横押しで２段動作の節度感を有したプッシュスイッチが得られるが、この構成によると、スイッチケースは正方形で、操作方向における寸法（奥行寸法）が大きくなるため、配線基板上の部品実装密度を向上できるように、更なる小型化を図る必要性があった。同様に、縦押し操作のものにおいても更なる小型化が必要であった。
【０００９】
本発明は、このような従来の課題を解決するものであり、２段動作の節度感を有した小型のプッシュスイッチを提供することを目的とする。
【課題を解決するための手段】
【００１０】
上記目的を達成するために本発明は、以下の構成を有するものである。
【００１１】
本発明は、上面開口の凹部内底面に複数の固定接点を備え、上記固定接点それぞれと接続した端子を外方に延出した絶縁樹脂からなるスイッチケースと、中央孔を有した円形の環状部とその外周縁から斜め下方に向けて延設された複数の脚部を備えて押圧により弾性反転する上方凸形のドーム状に形成された弾性金属薄板からなる第１可動接点と、この第１可動接点の環状部上に載置されて上方凸形のドーム状に形成された弾性金属薄板からなる円形の第２可動接点と、上記第１、第２可動接点を上記スイッチケースの凹部内に収容してその凹部上面を覆うように取り付けられた絶縁フィルム製の保護シートと、を備えたプッシュスイッチであって、上記スイッチケースは前後方向が左右方向より短い長方形で、上記複数の固定接点が、上記第１可動接点の中央孔内を介して上記第２可動接点の下面と間隔をあけて対峙した位置に設けられた中央固定接点と、上記第１可動接点の環状部下面と間隔をあけて対峙した位置に設けられた中間固定接点と、上記第１可動接点の脚部が載置された端部固定接点と、から構成され、上記第１可動接点の脚部が、上記環状部の中心に対して点対称な位置に４つ設けられ、２つ１組とする各組の上記脚部間の開口角度が９０度より狭い角度になされ、それら各組の上記脚部先端外側間の幅の狭い側が上記スイッチケースの左右位置に対応されて上記第１可動接点が上記スイッチケース内に配されていることを特徴とするプッシュスイッチとしたものである。
【００１２】
これにより、第１可動接点を収容するスイッチケースの奥行き方向の幅を小さくできて、実装面積の小さい、２段動作の節度感を有した小型のプッシュスイッチを提供することができるという作用を有する。
【発明の効果】
【００１３】
以上のように本発明によれば、２段動作の節度感を有した小型のプッシュスイッチを提供することができるという有利な効果が得られる。
【図面の簡単な説明】
【００１４】
【図１】本発明の第１の実施の形態による横押しで２段動作の節度感を有するプッシュスイッチの断面図
【図２】同分解斜視図
【図３】同スイッチケースの平面図
【図４】同スイッチケースの底面図
【図５】同１段目の動作状態を示す断面図
【図６】同２段目の動作状態を示す断面図
【図７】本発明の第２の実施の形態による横押しで２段動作の節度感を有するプッシュスイッチの分解斜視図
【図８】同スイッチケースの平面図
【図９】本発明による縦押しで２段動作の節度感を有するプッシュスイッチの分解斜視図
【発明を実施するための形態】
【００１５】
以下、本発明の実施の形態について、図１〜図９を用いて説明する。
【００１６】
（実施の形態１）
図１は本発明の第１の実施の形態による横押しで２段動作の節度感を有するプッシュスイッチの断面図、図２は同分解斜視図、図３は同スイッチケースの平面図、図４は同スイッチケースの底面図であり、同図において、１は前後方向が短い上面視で略長方形の形状に形成された絶縁樹脂製のスイッチケースであり、中央に略円形の凹部１Ａを有した平面部１Ｂの左右方向の両側に上面視コ字状のガイド壁１Ｃが突設され、上記凹部１Ａには、その内周壁にスイッチケース１の４つのコーナー部方向に窪んだ溝部１Ｄが一体に設けられている。そして、凹部１Ａの内底面には、中央に位置された中央固定接点２と、その中央固定接点２から間隔をあけてスイッチケース１の前方側で左右方向における中央位置に位置された中間固定接点３と、後方側の２つの上記溝部１Ｄに対応した位置に端部固定接点４が配設されている。
【００１７】
これら中央固定接点２、中間固定接点３そして端部固定接点４はそれぞれ電気的に独立しており、それら各固定接点２、３、４と繋がった中央固定接点端子２Ａ、中間固定接点端子３Ａそして端部固定接点端子４Ａが、スイッチケース１の左右方向の外側壁下方から下面がスイッチケース１の底面と同じ面で外方に延出されている。
【００１８】
また、中間固定接点３と繋がった中間固定接点端子３Ａは、図４に示すように、スイッチケース１の凹部１Ａ内底面に露出した中間固定接点３部分から両側が下方に曲げ加工されて、中間部付近からその下面がスイッチケース１の底面と同一面に露出状態とされ、そのままスイッチケース１の両側の外側壁外方へ延出されている。
【００１９】
５は中央孔としてなる円形孔５Ａを中央に有し、上方に膨らんだドーム状の環状部５Ｂと、その環状部５Ｂの外周縁から斜め下方に延設され、根元部分に上面視円弧状の面取りが設けられた同じ形状の４つの脚部５Ｃを備えた弾性金属薄板からなる第１可動接点で、４つの脚部５Ｃがそれぞれ対応する上記スイッチケース１の溝部１Ｄ内に位置した状態で凹部１Ａに収容されており、環状部５Ｂ下面は間隔をあけて下方の中間固定接点３と対峙している。そして、第１可動接点５の後方側の２つの脚部５Ｃ下端は、端部固定接点４上にそれぞれ載っている。
【００２０】
４つの脚部５Ｃは、環状部５Ｂの中心に対して点対称で非等角な位置に設けられ、その２つずつが１組となる各組の上記脚部５Ｃ間の開口角度は９０度より狭い角度のものになっている。そして、その各組の脚部５Ｃどうしでの先端外側間の幅は、上記環状部５Ｂの外径寸法と同じかそれより小さい寸法のものになっている。その脚部５Ｃ間の狭い側を、各々、上記スイッチケース１の左右位置に対応させて、上記第１可動接点５を上記スイッチケース１内に配したものとすることによって、当該実施の形態によるものでは、環状部５Ｂの外径と同じ円形の可動接点を使用するスイッチと同じ奥行き寸法としてなる小型のプッシュスイッチに実現している。
【００２１】
この第１可動接点５は、ドーム状の環状部５Ｂに押し下げ力が加わると、脚部５Ｃが撓みながらその力が所定の力を超えた際に、節度感を伴って環状部５Ｂが下方に膨らんだ状態に弾性反転し、また、この押し下げ力を解除していくと、脚部５Ｃの撓みが元に戻りながら、所定の力より小さくなると、節度感を伴って、環状部５Ｂが元の上方に膨らんだドーム状に弾性復帰するものである。
【００２２】
６は上方に膨出した円形ドーム状の弾性金属薄板からなる第２可動接点であり、その外周下端が上記第１可動接点５の環状部５Ｂ上に載置されている。この第２可動接点６の外径は第１可動接点５の環状部５Ｂと同じ寸法に形成されており、スイッチケース１の略円形の凹部１Ａの内径はそれより僅かに大きい寸法に形成されているため、この凹部１Ａ内周壁により第１可動接点５および第２可動接点６が位置決めされて、その位置が安定するようになされている。
【００２３】
この第２可動接点６は、ドーム状頂点部に押し下げ力が加わり、その力が所定の力を超えると節度感を伴って下方に膨らんだ状態に弾性反転し、また、この押し下げ力を解除していき、所定の力より小さくなると、節度感を伴って元の上方に膨らんだドーム状に弾性復帰するものである。
【００２４】
そして、上記第１可動接点５と第２可動接点６との間において、弾性反転する際の力および弾性復帰する際の力は、第１可動接点５の方が小さい力で反転および復帰するように設定されている。
【００２５】
７は下面に図示しない粘着剤を有し可撓性を備えた絶縁フィルムからなる保護シートで、スイッチケース１の凹部１Ａ内に第１可動接点５、第２可動接点６を収容状態にして、凹部１Ａを塞ぐように平面部１Ｂ上に粘着固定されている。
【００２６】
８は上記保護シート７上で前後移動可能に載置された絶縁樹脂からなる駆動体であり、スイッチケース１の前方に突出した操作部８Ａと、その操作部８Ａの後方に突出した棒状部８Ｂと、間隔をあけてその棒状部８Ｂを囲む枠状のガイド部８Ｃを備えている。この駆動体８の棒状部８Ｂは可撓性を有しており、先端は球形状の押圧部８Ｄとされ、その押圧部８Ｄはスイッチケース１の凹部１Ａのやや前方よりの中央部に位置している。
【００２７】
９は金属板からなる略長方形のカバーで、その中央部に４５度下方に切り曲げ形成された傾斜部９Ａを備えており、コーナー部の近傍それぞれに端部から下方に曲げ形成された固定用の係止部９Ｂが４ヶ所設けられている。このカバー９は、駆動体８のガイド部８Ｃ上方を覆って、係止部９Ｂがスイッチケース１のガイド壁１Ｃの前後方向外面に設けられた係止用突起１Ｅにそれぞれ係止されて固定されている。
【００２８】
この状態で駆動体８は、その棒状部８Ｂ先端の押圧部８Ｄがカバー９の傾斜部９Ａの前方の傾斜面に当接し、ガイド部８Ｃの前方面がガイド壁１Ｃの前方端部の内側壁に当接している。そして、ガイド部８Ｃの左右方向はスイッチケース１のコ字状のガイド壁１Ｃによって規制され、上下方向はカバー９下面と保護シート７で規制されて前後移動が滑らかに可能なものになされている。
【００２９】
以上の構成において、次にその動作を説明する。
【００３０】
まず、駆動体８の操作部８Ａに前方から押し力を加えると、スイッチケース１のガイド壁１Ｃに規制されながら駆動体８は後方へ移動し、それにつれて棒状部８Ｂは、カバー９の傾斜部９Ａに当接した先端の押圧部８Ｄが傾斜面に沿って案内されて撓みながら斜め下方へ下がっていき、後方への押し力が下方への押し下げ力に変換される。
【００３１】
そして、この押圧部８Ｄの移動により保護シート７を介して第２可動接点６のドーム状頂点部に押し下げ力が加わり、この第２可動接点６が載置された第１可動接点５の環状部５Ｂにも押し下げ力が加わって、上記押し下げ力が所定の力を超えると、図５に示すように、第１可動接点５の脚部５Ｃが撓んで環状部５Ｂが節度感を伴って下方に膨らんだドーム状に弾性反転する。
【００３２】
この弾性反転により、環状部５Ｂ下面が対峙した中間固定接点３に接触して、端部固定接点端子４Ａと中間固定接点端子３Ａとの間が電気的に導通状態となり、１段目のスイッチがオンとなる。
【００３３】
この１段目の動作において、駆動体８の押圧部８Ｄはカバー９の傾斜部９Ａに沿って斜め下方に移動するため、保護シート７を介して第２可動接点６のドーム状部分を前方側から頂点部中心に向けて移動しながら押し下げる力が加わる。したがって第２可動接点６には前方側から中心に向けて押下力が働き、第１可動接点５の環状部５Ｂにも前方側が押下されるように力が加わりやすい。
【００３４】
ここで、本実施の形態のスイッチケース１の中間固定接点３は、凹部１Ａの前方側に配設しているため、第１可動接点５の環状部５Ｂが弾性反転してその下面が中間固定接点３に接触する際に、強く接触するようになり、中間固定接点３との接触性を安定したものにできる。
【００３５】
そして、更に続けて操作部８Ａへの押し力を加えていき、押圧部８Ｄからの押し下げ力が第２可動接点６の弾性反転力を超えると、図６に示すように、第２可動接点６が節度感を伴って下方に膨らんだドーム状に弾性反転し、ドーム状頂点部下面が対峙した中央固定接点２に接触して、２段目のスイッチがオンとなる。
【００３６】
この２段目のスイッチがオンの状態では、第１可動接点５は後方の２ヶ所の脚部５Ｃが接触した端部固定接点４と環状部５Ｂ下面が接触した中間固定接点３間を電気的に架橋し、第２可動接点６は第１可動接点５の環状部５Ｂと中央固定接点２間を電気的に架橋しており、端部固定接点４、中間固定接点３および中央固定接点２の全てが電気的に接続された状態となる。すなわち、各接点２、３、４に繋がった端部固定接点端子４Ａ、中間固定接点端子３Ａおよび中央固定接点端子２Ａ相互の間で導通した状態となる。
【００３７】
そして、２段目のスイッチが動作した後に、駆動体８の枠状のガイド部８Ｃの後方面が、スイッチケース１のガイド壁１Ｃの後方端部の内側面に当接する。つまり、ガイド壁１Ｃの後方端部が、押し止めとして機能して、駆動体８の後方への移動が停止する。
【００３８】
次に、駆動体８の操作部８Ａに加えていた押し力を解除していき、第２可動接点６に加わっていた押圧部８Ｄによる押し下げ力が第２可動接点６の自己復帰力より小さくなると、第２可動接点６が節度感を伴って元の上方に膨らんだドーム状に復帰しそのドーム状頂点部下面が中央固定接点２から離れて２段目のスイッチがオフとなる。この第２可動接点６の自己復帰力の作用によって、保護シート７を介して駆動体８の押圧部８Ｄに上方への付勢力が加わると共に、撓んでいる棒状部８Ｂ自身の復帰力も加わって押圧部８Ｄがカバー９の傾斜面に沿いつつ斜め上方に移動して、駆動体８は前方へ押し戻される。
【００３９】
そして、さらに操作部８Ａへの押し力が小さくなると、第１可動接点５の環状部５Ｂが節度感を伴って元の上方に膨らんだドーム状に自己復帰し脚部５Ｃも元の傾斜状態に戻る。そして、環状部５Ｂ下面が中間固定接点３から離れることにより１段目のスイッチもオフとなる。この第１可動接点５の自己復帰動作によって、第２可動接点６も上方位置に押し戻されて、上述同様に第２可動接点６のドーム状頂点部上面から保護シート７を介して駆動体８の押圧部８Ｄに上方への付勢力が加わると共に、撓んでいる棒状部８Ｂ自身の復帰力も加わって、押圧部８Ｄがカバー９の傾斜面に沿いつつ斜め上方に移動して、駆動体８をさらに前方へ押し戻し、ガイド部８Ｃ前方面がスイッチケース１のガイド壁１Ｃの前方端部の内側面に当接した図１に示す元の状態に戻る。
【００４０】
このように本実施の形態によれば、第１可動接点５の脚部５Ｃ先端外側間の幅が環状部５Ｂの外径寸法以下であり、第２可動接点６の外径も上記環状部５Ｂの外径寸法と同じ寸法にしているため、第１可動接点５および第２可動接点６を含めて操作方向である前後方向、つまり奥行きを小さくできて、実装面積が小さく、横押しで２段動作の節度感を有した小型のプッシュスイッチを提供することができる。
【００４１】
また、スイッチケース１の凹部１Ａ内の中間固定接点３を、前方側の左右方向における中央位置に位置させ、そこから下方へ曲げ形成してスイッチケース１の絶縁樹脂内を通過させ、その後左右方向それぞれに下面がスイッチケース１の底面と同一面に露出した平面状態で外側壁から延出した中間固定接点端子３Ａとしているため、実装時の半田付け面積が広くできて、半田付け強度が強くなり、操作部８Ａに過大な押圧荷重が加わってもプッシュスイッチが配線基板から剥離し難いものにできる。また、荷重を最も受ける操作部８Ａに近い側の端子で半田付け面積を大きくできるので、半田付け強度を強くする効率的な端子配置にできる。
【００４２】
なお、第１可動接点５における４つの脚部５Ｃの配設角度は、上述した条件内であればよいが、４つのものの場合には、配置状態での自立性などを考慮すれば、上記条件内で広い角度である方が好ましい。そして、その脚部の数は４つ以外のものとしてあってもよい。
【００４３】
（実施の形態２）
図７は本発明の第２の実施の形態による横押しで２段動作の節度感を有するプッシュスイッチの分解斜視図、図８は同スイッチケースの平面図である。
【００４４】
なお、本実施の形態によるプッシュスイッチは、実施の形態１によるものに対してスイッチケースの固定接点の配設位置が異なっているのみであり、その他の構成は同じであるため、実施の形態１のものと同一構成の部分には同一符号を付して、詳細な説明を省略する。
【００４５】
図７、図８において、１１は前後方向が短手方向となる長方形形状に形成された絶縁樹脂製のスイッチケースであり、上面中央に略円形の凹部１１Ａを有した平面部１１Ｂの左右方向の端部の両側に上面視コ字状のガイド壁１１Ｃが突設され、上記凹部１１Ａには、その内周壁にスイッチケース１１の４つのコーナー部方向に窪んだ４つの溝部１１Ｄが一体に設けられている。
【００４６】
上記凹部１１Ａの内底面には、中央に中央固定接点１２が設けられ、その中央固定接点１２から間隔をあけてスイッチケース１１後方側の左右方向における中央位置に中間固定接点１３が設けられ、そして前方側に位置した２つの上記溝部１１Ｄ内の位置に端部固定接点１４が配設されている。そして、中央固定接点１２、中間固定接点１３および端部固定接点１４とそれぞれ繋がってスイッチケース１１の左右方向外側壁から中央固定接点端子１２Ａ、中間固定接点端子１３Ａおよび端部固定接点端子１４Ａが延設されている。
【００４７】
つまり、本実施の形態によるものは、実施の形態１のスイッチケースに対して、中間固定接点、端部固定接点およびそれらと繋がる中間固定接点端子、端部固定接点端子の配置位置が中央固定接点に対して点対称に前後方向で逆に構成されていることを特徴としている。
【００４８】
その他の構成部材は同じである。簡単に説明すると、スイッチケース１１の凹部１１Ａ内に、円形孔５Ａを有した環状部５Ｂとスイッチケース１１の４つの溝部１１Ｄ位置に対応した４つの脚部５Ｃを備え、前方側に位置した２つの脚部５Ｃが端部固定接点１４上に載置されて第１可動接点５が納められ、その第１可動接点５の環状部５Ｂの上に、その環状部５Ｂの外径寸法と同じ大きさの第２可動接点６が載置されて、凹部１１Ａを塞いで保護シート７が平面部１１Ｂ上に粘着固定されている。
【００４９】
そして、操作部８Ａをスイッチケース１１の前方に突出させ、後方に突出した棒状部８Ｂと、間隔をあけてその棒状部８Ｂを枠状に囲むガイド部８Ｃが保護シート７上に載置されて配された駆動体８の上方から、切り曲げて形成された傾斜部９Ａを中央に備えたカバー９が、コーナー部の端部に設けられた係止部９Ｂでスイッチケース１１のガイド壁１１Ｃの前後方向外面に設けられた係止用突起１１Ｅに係止固定されている。
【００５０】
以上のように本実施の形態のプッシュスイッチは構成されている。そして、その動作は実施の形態１によるものの動作と同様であるので説明は省略する。
【００５１】
ここに、本実施の形態によれば、第１可動接点５の脚部５Ｃ先端が操作部８Ａに近い側で端部固定接点１４上に常接しているものとしているので、その端部固定接点１４と繋がる端部固定接点端子１４Ａを図示しない電子機器の配線基板のアース側回路と接続しておくことにより、操作者の人体等の外方から駆動体８の操作部８Ａに静電気が流れ込んだ際、各可動接点５、６はアース電位状態であると共に、操作部８Ａとアース側回路とが近い位置関係にできることから、上記静電気による電子機器の誤動作や故障発生の低減効果を期待できるものとして実現できる。
【００５２】
なお、上述の実施の形態１および２は、操作方向が横方向の所謂横押し操作の２段動作の節度感を有したプッシュスイッチで説明したが、図９の本発明による縦押しで２段動作の節度感を有するプッシュスイッチの分解斜視図に示すように、本発明による構成思想を、操作方向が縦方向の縦押し操作の２段動作の節度感を有したプッシュスイッチのものに適用することができる。すなわち、図９に示すように、スイッチケース２１を、上述したスイッチケース１、１１と同様の思想で、前後方向が左右方向より短い上面視長方形のものに構成し、そのスイッチケース２１に第１および第２可動接点５および６を収容して保護シート２７を貼り付け、その保護シート２７上方から操作用孔部２９Ａを有したカバー２９をスイッチケース２１に取り付けた形態のプッシュスイッチとし、保護シート２７上方からの押圧操作によって動作するものとすれば、投影面積の小さい細型で縦押し操作のものに実現できる。また、図示はしないが、上記保護シート２７をなくして、第２可動接点６を直接押圧操作する駆動体を第２可動接点６上に載置し、駆動体の操作部を上方に突出させるカバーを組み合せて構成したプッシュスイッチなどとしても良い。
【００５３】
これにより、上面視細型で前後方向が左右方向よりも小さい、縦押しで２段動作の節度感を有した小型のプッシュスイッチを提供することができる。
【００５４】
なお、上述の実施の形態１および２において、スイッチケース１、１１の凹部１Ａ、１１Ａ内底面に配設する端部固定接点４、１４は、２ヶ所の溝部１Ｄ、１１Ｄ位置に設けたもので説明したが、どちらか１ヶ所の溝部１Ｄ、１１Ｄのみに設けたものであっても良い。
【産業上の利用可能性】
【００５５】
本発明によるプッシュスイッチは、２段動作の節度感を有した小型のプッシュスイッチを提供することができるという有利な効果を有し、各種電子機器の入力操作部を構成する際等に有用である。
【符号の説明】
【００５６】
１、１１、２１  スイッチケース
１Ａ、１１Ａ  凹部
１Ｂ、１１Ｂ  平面部
１Ｃ、１１Ｃ  ガイド壁
１Ｄ、１１Ｄ  溝部
１Ｅ、１１Ｅ  係止用突起
２、１２  中央固定接点
２Ａ、１２Ａ  中央固定接点端子
３、１３  中間固定接点
３Ａ、１３Ａ  中間固定接点端子
４、１４  端部固定接点
４Ａ、１４Ａ  端部固定接点端子
５  第１可動接点
５Ａ  円形孔
５Ｂ  環状部
５Ｃ  脚部
６  第２可動接点
７、２７  保護シート
８  駆動体
８Ａ  操作部
８Ｂ  棒状部
８Ｃ  ガイド部
８Ｄ  押圧部
９、２９  カバー
９Ａ  傾斜部
９Ｂ  係止部
２９Ａ  操作用孔部
【図１】
0005376026.tif 000002
【図２】
0005376026.tif 000003
【図３】
0005376026.tif 000004
【図４】
0005376026.tif 000005
【図５】
0005376026.tif 000006
【図６】
0005376026.tif 000007
【図７】
0005376026.tif 000008
【図８】
0005376026.tif 000009
【図９】
0005376026.tif 000010